(57)【要約】【課題】動画像撮像装置において、パーソナルコンピュータ等を用いることなく、異なる動画像を重畳させるように編集し、再生可能にする。【解決手段】編集指令が入力されると（＃１においてＹＥＳ）、制御部は、ユーザに、メモリに記憶させた動画像データの中から、編集する動画像データを選択させる画面を表示し（＃２）、選択された各動画像データについて、さらに画像サイズ及び配置の入力を促す（＃３）。画像サイズ及び配置が入力されると、制御部は、入力された画像サイズ及び配置に応じて、選択された動画像データを重畳して新たな動画像データを作成し（＃４）、その新たな画像データをメモリに記憶させる（＃５）。【選択図】図３
2007201552.tif 000002
【特許請求の範囲】
【請求項１】
被写体を撮像する撮像レンズと、この撮像レンズによって収束された光を電気信号に変換する撮像素子と、音声を電気信号に変換するマイクロフォンと、前記撮像素子によって変換された複数の動画像データ及び前記マイクロフォンによって変換された複数の音声データを記憶する記憶手段と、前記撮像素子によって撮像された動画像データ及び記憶手段に記憶された動画像データに基づいて動画像を表示する液晶表示手段と、前記記憶手段に記憶された音声データに基づいて音声を出力するスピーカと、前記撮像素子、記憶手段、液晶表示手段及びスピーカを制御する制御手段と、ユーザによって操作され、前記制御手段に各種の指令を入力する指令入力手段と、前記記憶手段に記憶された動画像データ及び音声データの信号を出力する信号出力端子とを備えた動画撮像装置において、
前記制御手段は、
前記指令入力手段を介して入力された指令に応じて、
前記記憶手段に記憶された動画像の中から複数の動画像を選択し、この選択した複数の動画像を画像サイズを異にして重畳することにより、新たな動画像データを作成し、その新たな画像データを前記記憶手段に記憶させると共に、再生している動画像データの中で最も大きな画像サイズの動画像データに対応する音声データを該新たな画像データの音声データとして前記記憶手段に記憶させ、
重畳した元の動画像データ及び音声データを該記憶手段から削除することにより、動画像データを編集し、
前記記憶手段に記憶された新たな動画像データを液晶表示手段に送信して、それに基づく動画像を液晶表示手段から出力可能とすると共に、前記記憶手段に記憶された新たな動画像データの信号を前記信号出力端子から出力可能としたことを特徴とする動画撮像装置。
【請求項２】
被写体を撮像する撮像レンズと、この撮像レンズによって収束された光を電気信号に変換する撮像素子と、前記撮像素子によって変換された複数の動画像データを記憶する記憶手段と、前記撮像素子によって撮像された動画像データ及び画像記憶手段に記憶された動画像データに基づいて動画像を表示する液晶表示手段と、前記撮像素子、記憶手段及び液晶表示手段を制御する制御手段と、ユーザによって操作され、前記制御手段に各種の指令を入力する指令入力手段とを備えた動画撮像装置において、
前記制御手段は、
前記指令入力手段を介して入力された指令に応じて、
前記記憶手段に記憶された動画像の中から複数の動画像を選択し、この選択した複数の動画像を画像サイズを異にして重畳することにより、新たな動画像データを作成し、その新たな画像データを前記記憶手段に記憶させることにより、動画像データを編集し、
前記記憶手段に記憶された動画像データに基づいて重畳した動画像を液晶表示手段から出力可能としたことを特徴とする動画撮像装置。
【発明の詳細な説明】
【技術分野】
【０００１】
本発明は、動画像を撮像可能な動画撮像装置に関するものである。
【背景技術】
【０００２】
特許文献１は、２つの動画像を同時に再生表示可能であり、２つの画像において第１の画像に対して第２の画像を第１の画像の少なくとも一部を異なる倍率にて再生表示する動画像記録再生装置を開示している。また、特許文献２は、背景と共に撮影した被写体の画像を、背景のみの別の画像に合成するスチルカメラ及び合成方法を開示している。
【特許文献１】特開２００３−２６４７６４号公報
【特許文献２】特開２００３−３３８９７７号公報
【発明の開示】
【発明が解決しようとする課題】
【０００３】
しかしながら、上記特許文献１に示された動画像記録再生装置は、２つの光学系及び２つの撮像素子を備え、２つの動画像を同時に撮像したり再生したりするものである。そのため、同一画面上に再生された２つの動画をその状態で１つの画像データファイルとして保存することができない。
【０００４】
本発明は、上記課題を解決するためになされたものであり、パーソナルコンピュータ等の高度な機器を用いることなく、異なる動画像を重畳させるように編集し、再生可能であると共に、編集した状態で複数の動画像を１つの画像ファイルとして保存可能とする動画像撮像装置を提供することを目的とする。
【課題を解決するための手段】
【０００５】
上記目的を達成するために請求項１の発明は、被写体を撮像する撮像レンズと、この撮像レンズによって収束された光を電気信号に変換する撮像素子と、音声を電気信号に変換するマイクロフォンと、撮像素子によって変換された複数の動画像データ及びマイクロフォンによって変換された複数の音声データを記憶する記憶手段と、撮像素子によって撮像された動画像データ及び記憶手段に記憶された動画像データに基づいて動画像を表示する液晶表示手段と、記憶手段に記憶された音声データに基づいて音声を出力するスピーカと、撮像素子、記憶手段、液晶表示手段及びスピーカを制御する制御手段と、ユーザによって操作され、制御手段に各種の指令を入力する指令入力手段と、記憶手段に記憶された動画像データ及び音声データの信号を出力する信号出力端子とを備えた動画撮像装置において、制御手段は、指令入力手段を介して入力された指令に応じて、記憶手段に記憶された動画像の中から複数の動画像を選択し、この選択した複数の動画像を画像サイズを異にして重畳することにより、新たな動画像データを作成し、その新たな画像データを記憶手段に記憶させると共に、再生している動画像データの中で最も大きな画像サイズの動画像データに対応する音声データを該新たな画像データの音声データとして記憶手段に記憶させ、重畳した元の動画像データ及び音声データを該記憶手段から削除することにより、動画像データを編集し、記憶手段に記憶された新たな動画像データを液晶表示手段に送信して、それに基づく動画像を液晶表示手段から出力可能とすると共に、記憶手段に記憶された新たな動画像データの信号を信号出力端子から出力可能としたものである。
【０００６】
請求項２の発明は、被写体を撮像する撮像レンズと、この撮像レンズによって収束された光を電気信号に変換する撮像素子と、撮像素子によって変換された複数の動画像データを記憶する記憶手段と、撮像素子によって撮像された動画像データ及び画像記憶手段に記憶された動画像データに基づいて動画像を表示する液晶表示手段と、撮像素子、記憶手段及び液晶表示手段を制御する制御手段と、ユーザによって操作され、制御手段に各種の指令を入力する指令入力手段とを備えた動画撮像装置において、制御手段は、指令入力手段を介して入力された指令に応じて、記憶手段に記憶された動画像の中から複数の動画像を選択し、この選択した複数の動画像を画像サイズを異にして重畳することにより、新たな動画像データを作成し、その新たな画像データを記憶手段に記憶させることにより、動画像データを編集し、記憶手段に記憶された動画像データに基づいて重畳した動画像を液晶表示手段から出力可能としたものである。
【発明の効果】
【０００７】
請求項１の発明によれば、制御手段が、記憶手段に記憶された複数の動画像を重畳して新たな動画像データを作成し、記憶手段に記憶させるので、パーソナルコンピュータ等の高度な機器を用いることなく、動画像撮像装置単体で複数の動画像を編集できるようになる。また、制御手段は、記憶手段に記憶された動画像の中から複数の動画像を選択して、画像サイズを異にして重畳するので、ユーザは多様な動画像の編集を行えるようになる。また、再生している動画像データの中で最も大きな画像サイズの動画像データに対応する音声データを記憶手段に記憶させるので、再生時に主となる動画像データを音声データと共に視聴することができ、ユーザの利便性が高められる。さらに、重畳した元の動画像データ及び音声データを記憶手段から削除するので、編集後の記憶手段の空き容量を大きくすることができる。また、記憶手段に記憶された新たな動画像データ、すなわち編集後の動画像データの信号を信号出力端子から出力することができるので、ユーザの楽しみ方が拡大される。
【０００８】
請求項２の発明によれば、制御手段が、記憶手段に記憶された複数の動画像を重畳して新たな動画像データを作成し、記憶手段に記憶させるので、パーソナルコンピュータ等の高度な機器を用いることなく、動画像撮像装置単体で複数の動画像を編集できるようになる。制御手段は、記憶手段に記憶された動画像の中から複数の動画像を選択して、画像サイズを異にして重畳するので、ユーザは多様な動画像の編集を行えるようになる。
【発明を実施するための最良の形態】
【０００９】
本発明の一実施形態による動画像撮像装置について図面を参照して説明する。図１は動画像撮像装置の構成を示している。動画像撮像装置１は、被写体を撮像する撮像レンズ２と、撮像レンズ２によって収束された光を電気信号に変換するＣＣＤ（Charge Coupled Device：撮像素子）３と、音声を電気信号に変換するマイクロフォン４と、ＣＣＤ３によって変換された動画像データ及びマイクロフォン４によって変換された音声データを記憶するメモリ（記憶手段）５と、ＣＣＤ３によって撮像された動画像を表示する液晶表示装置（液晶表示手段）６と、メモリ５に記憶された音声データに基づいて音声を出力するスピーカ７と、上記各部の制御を司る制御部（制御手段）８と、ユーザが各種の指令を入力するための指令入力部（指令入力手段）９と、メモリ５に記憶された動画像データ及び音声データの信号を出力する信号出力端子１０等によって構成されている。
【００１０】
メモリ５は、複数の静止画像データに加え、複数の動画像データ及びこれと同時に変換された音声データを記憶することができる。このメモリ５に記憶された静止画像データ及び動画像データは、適宜、液晶表示装置６に出力され、液晶表示装置６から静止画像又は動画像として表示される。指令入力部９は、制御部８に各種の指令を入力するために操作する複数の操作ボタンを有している。
【００１１】
動画像撮像装置１は、メモリ５に記憶させた動画像データの中から、複数の動画像データを選択し、それを重畳させて編集する機能を備えている。動画像の重畳処理は、制御部８によってなされ、重畳された後（編集後）の動画像データはメモリ５に格納される。
【００１２】
図２は、動画像撮像装置１によって編集される前後の動画像を示している。ここでは、３分の動画像データＡ、２分の動画像データＢ、１分の動画像データＣが選択されている。一例として、ユーザは、動画像データＣを最も大きく表示するように選択し、動画像データＡ及び動画像データＢをそれぞれ画面の左上及び右下に縮小表示するように、画像サイズと配置を入力したものとする。再生開始後、１分が経過するまでは、動画像データＣが通常通りのサイズで大きく表示され、動画像データＢが小さなサイズで右下に、動画像データＡが小さなサイズで左上に、それぞれ動画像データＣに重畳して表示される。このとき、動画像データＣの音声が再生される。１分が経過して動画像データＣが終了した後は、２分が経過するまで、動画像データＢが通常通りのサイズで大きく表示され、動画像データＡが小さなサイズで左上に、動画像データＢに重畳して表示される。このとき、動画像データＢの音声が再生される。そして、再生開始後、２分が経過して動画像データＢが終了した後は、動画像データＡが通常通りのサイズで大きく表示され、動画像データＡの音声が再生される。
【００１３】
図３は、動画像データの編集時における制御部８の動作を示している。指令入力部９を介して編集指令が入力されると（＃１においてＹＥＳ）、制御部８は、ユーザに、メモリ５に記憶させた動画像データの中から、編集する動画像データを選択させる旨の画面表示をする（＃２）。画像データが選択されると、次に、制御部８は、選択された各動画像データについて、画像サイズ及び配置をユーザに入力させる（＃３）。画像サイズ及び配置が入力されると、制御部８は、入力された画像サイズ及び配置に応じて、選択された動画像データを重畳して新たな動画像データを作成し（＃４）、その新たな画像データをメモリ５に記憶させる（＃５）。さらに、制御部８は、再生中の動画像データの中で最も大きな画像サイズの動画像データに対応する音声データを新たな画像データの音声データとしてメモリ５に記憶させ（＃６）、重畳した元の動画像データ及び音声データをメモリ５から削除する。以上の処理によって、動画像データが編集される。
【００１４】
以上のように、本実施形態の動画像撮像装置１によれば、制御部８が、メモリ５に記憶された複数の動画像を重畳して新たな動画像データを作成し、メモリ５に記憶させるので、パーソナルコンピュータ等の高度な機器を用いることなく、動画像撮像装置単体で複数の動画像を編集できるようになる。また、制御部８は、メモリ５に記憶された動画像の中から複数の動画像を選択して、画像サイズを異にして重畳するので、ユーザは多様な動画像の編集を行えるようになる。また、新たな画像データの中で最も大きな画像サイズの動画像データに対応する音声データをメモリ５に記憶させるので、再生時に主となる動画像データを音声データと共に視聴することができ、ユーザの利便性が高められる。さらに、重畳した元の動画像データ及び音声データをメモリ５から削除するので、編集後の記憶手段の空き容量を大きくすることができる。また、メモリ５に記憶された新たな動画像データ、すなわち編集後の動画像データの信号を信号出力端子１０から出力することができるので、ユーザの楽しみ方が拡大される。
【００１５】
なお、本発明は上記実施形態の構成に限られることなく、少なくとも、制御部８が、複数の動画像を重畳することにより、新たな動画像データを作成して、メモリ５に記憶させるように構成されていればよい。また、各動画像の画像サイズや配置、動画像と共に再生される音声は、図２に示した組み合わせに限られることなく、ユーザが自由に選択できるようにしてもよい。また、編集する画像データは、動画像データに限られることなく、静止画像データであってもよく、さらに、動画像と静止画像を組み合わせて編集するようにしても構わない。
【図面の簡単な説明】
【００１６】
【図１】本発明の一実施形態による動画像撮像装置の構成を示すブロック図。
【図２】同装置によって編集される前後の動画像を示す図。
【図３】動画像データの編集時における制御部の動作を示すフローチャート。
【符号の説明】
【００１７】
１    動画像撮像装置
２    撮像レンズ
３    ＣＣＤ（撮像素子）
４    マイクロフォン
５    メモリ(記憶手段)
６    液晶表示装置（液晶表示手段）
７    スピーカ
８    制御部
９    指令入力部（指令入力手段）
１０    信号出力端子
【図１】
2007201552.tif 000003
【図２】
2007201552.tif 000004
【図３】
2007201552.tif 000005